(57)【要約】【課題】本発明は、地理的位置に依存するサービスのための位置情報を供給する方法に関する。【解決手段】本発明によれば、地理的位置を識別する地理情報が、基地局のセル放送チャネル上で移動局へ放送される。移動局は、この放送された位置情報を、サービスプロバイダへのサービス要求内に挿入する。サービスプロバイダは、この位置情報に従ってサービス通報を選択し、このサービス通報を移動局へ送る。【選択図】図１
2008312234.tif 000002
【特許請求の範囲】
【請求項１】
あるアプリケーションに対して位置情報を供給する方法において、上記方法は、基地局のセル放送チャネル上の放送信号を移動局によって受信するステップを備え、上記方法は、地理的位置を識別する位置情報を、上記基地局の上記セル放送チャネル上で 放送するステップと、上記位置情報を、上記地理的位置に依存するアプリケーションにおいて利用するステップと、を備えていることを特徴とする方法。
【請求項２】
上記放送ステップは、地理的位置を識別する平文の位置情報を、上記基地局の上記セル放送チャネル上で放送するステップを備えていることを特徴とする請求項(1)に記載の方法。
【請求項３】
上記移動局において、上記位置情報を含むメッセージを作成するステップと、上記メッセージを、上記移動局から送るステップと、上記メッセージ内の上記位置情報に基づいて、上記移動局に対してサービスを提供するステップと、を備えていることを特徴とする請求項(1)または(2)に記載の方法。
【請求項４】
上記位置情報を含むサービス要求を、上記移動局において作成するステップと、上記サービス要求を、上記移動局から送るステップと、上記サービス要求内に含まれる上記位置情報に応答して、上記移動局によって要求されたサービス通報を、上記サービスを提供するユニットにおいて選択するステップと、上記サービス通報を、上記移動局へ送るステップと、を備えていることを特徴とする請求項(3)に記載の方法。
【請求項５】
上記サービス要求を作成するステップは、上記基地局の上記セル放送チャネルの信号から上記位置情報を抜取るステップと、サービス要求を、テキストフォーマットで作成するステップと、上記抜取った位置情報を、作成するサービス要求に添付するステップと、を更に備えていることを特徴とする請求項(4)に記載の方法。
【請求項６】
上記位置情報を抜取るステップは、上記位置情報を、上記セル放送チャネルの上記受信した信号から分離するステップと、上記位置情報を、上記移動局内に格納するステップと、を更に備えていることを特徴とする請求項(5)に記載の方法。
【請求項７】
上記サービス要求を、短メッセージとして上記移動局から送ることを特徴とする請求項(4)乃至(6)の何れか１つに記載の方法。
【請求項８】
上記サービス要求を、データ伝送として上記移動局から送ることを特徴とする請求項(4)乃至(6)の何れか１つに記載の方法。
【請求項９】
カバレッジエリア内の移動局（ＭＳ）へ一般情報を放送するための少なくとも１つのセル放送チャネルを備えている基地局において、上記基地局は地理的位置を識別する位置情報を、上記セル放送チャネル上で放送するようになっていることを特徴とする基地局。
【請求項１０】
上記位置情報は、平文である請求項(9)に記載の基地局。
【請求項１１】
上記基地局は、その個々の位置情報を、上記セル放送チャネル上で放送するようになっていることを特徴とする請求項(9)または(10)に記載の基地局。
【請求項１２】
上記基地局は、基地局の特定集合に共通する位置情報を、上記セル放送チャネル上で放送するようになっていることを特徴とする請求項(9)または(10)に記載の基地局。
【請求項１３】
上記基地局によって放送される上記平文位置情報は、座標情報からなることを特徴とする請求項(10)乃至(12)の何れか１つに記載の基地局。
【請求項１４】
上記基地局によって放送される上記平文位置情報は、場所名からなることを特徴とする請求項(10)乃至(12)の何れか１つに記載の基地局。
【請求項１５】
上記基地局によって放送される上記平文位置情報は、座標情報及び場所名からなることを特徴とする請求項(10)乃至(12)の何れか１つに記載の基地局。
【請求項１６】
上記基地局は、セル放送センターによって指示された位置情報を、上記セル放送チャネル上で放送するようになっていることを特徴とする請求項(9)乃至(15)の何れか１つに記載の基地局。
【請求項１７】
基地局（ＢＴＳ）のセル放送チャネルを受信する手段を備えている移動局において、上記移動局は、上記基地局のセル放送から地理的位置を識別する位置情報を抜取る手段と、上記位置情報を上記地理的位置に依存するアプリケーションにおいて利用する手段とを備えていることを特徴とする移動局。
【請求項１８】
上記移動局は、サービス要求をテキストフォーマットで作成する手段と、上記位置情報を上記サービス要求に添付する手段と、上記サービス要求を送る手段とを更に備えていることを特徴とする請求項(17)に記載の移動局。
【請求項１９】
上記セル放送から上記位置情報を抜取る手段は、上記位置情報を受信した放送信号から分離する位置情報識別手段と、上記位置情報を格納する少なくとも１つのメモリ位置とを備えていることを特徴とする請求項(17)に記載の移動局。
【請求項２０】
上記移動局は、上記位置情報を自動的に格納する少なくとも１つのメモリ位置と、上記位置情報を移動加入者によって与えられる命令に基づいて恒久的に格納する少なくとも１つのメモリ位置とを備えていることを特徴とする請求項(19)に記載の移動局。
【請求項２１】
上記位置情報を上記サービス要求に添付する手段は、上記移動局に接続されているコンピュータまたは知的部分を備えていることを特徴とする請求項(18)乃至(20)の何れか１つに記載の移動局。
【請求項２２】
基地局が一般情報をセル放送チャネル上で放送するようになっており、移動局が基地局のセル放送チャネルを受信するようになっている移動通信システムにおいて、上記移動通信システムは、地理的位置を識別する位置情報を、上記基地局の上記セル放送チャネル上で放送し、上記位置情報を、上記地理的位置に依存するアプリケーションにおいて利用する、ようになっていることを特徴とする移動通信システム。
【請求項２３】
上記位置情報は、平文である請求項(22)に記載の移動通信システム。
【請求項２４】
上記移動局は、上記地理情報を含むサービス要求を作成し、上記地理情報が添付されている上記サービス要求を、上記移動局から上記サービスを提供するユニットへ送信するようになっており、上記サービスを提供するユニットは、上記位置情報に基づいて選択された上記サービスを、上記移動局へ送信するようになっている、ことを特徴とする請求項(22)または(23)に記載の移動通信システム。
【請求項２５】
上記基地局によって放送される上記位置情報は、セル放送センターの制御に応答することを特徴とする請求項(22)乃至(24)の何れか１つに記載の移動通信システム。
【請求項２６】
上記サービス要求は、短メッセージの形状であることを特徴とする請求項(24)または(25)に記載の移動通信システム。
【請求項２７】
上記サービス要求は、データ伝送の形状であることを特徴とする請求項(24)または(25)に記載の移動通信システム。
【発明の詳細な説明】
【技術分野】
【０００１】
本発明は、一般情報を、基地局のセル放送チャネル上で放送するようになっている移動通信システム、及び移動局に関する。
【背景技術】
【０００２】
移動通信システムにおいては、加入者のサービス要求に基づいて種々のサービス通報（アナウンスメント）を移動局へ送信することができる。一般的には、これらの課金可能なサービスの殆どが、実際の移動通信システムの外部から提供されるようになっていることが多い。要求するサービス番号の呼出しを行うことによって、移動加入者は、例えば選択されたサービス通報を移動局のディスプレイへ送るように発注することができる。例えば、天気予報、交通情報、ローカルニュース、及びタクシー手配のような他のローカルサービス、及びサービスステーション通報等のような個々のサービスは、移動加入者がその地域（地理的領域）に基づく所望の通報を選択するようなサービスである。移動加入者は移動するものであるから、一般的に移動加入者は、変化する彼／彼女の現在の位置に関係があるサービス通報を入手することを希望している。
【０００３】
新しい欧州ディジタルＧＳＭ移動通信システムにおいては、通常のトラフィックチャネルで確立されたスピーチ及びデータ接続に加えて、システムの制御または信号チャネルで実際の信号（シグナリング）と共に、短メッセージと呼ぶ短いディジタルデータメッセージを送ることもできる。ＧＳＭ移動回路網は、分離した短メッセージサービスセンターＳＭＳＣに接続されており、従ってＳＭＳＣは特定の短メッセージ回路網とＧＳＭ回路網との間の接続を確立する。移動回路網の外部に位置する短メッセージサービスセンターＳＭＳＣは、短メッセージを移動加入者へ、及び移動加入者（Ａ加入者）から別の移動加人者（Ｂ加入者）へ、または移動回路網の外部で短メッセージを受信することができる何等かのユニットへ送信する。加入者は、移動局のキーボードによって、または移動局に接続されたコンピュータによって、送るべき短メッセージを入力する。移動局は、制御または信号チャネルを通して基地局へ短メッセージを送り、短メッセージは基地局から更に移動スイッチングセンターを介して短メッセージサービスセンターＳＭＳＣへ転送される。サービスセンターＳＭＳＣは、短メッセージを短メッセージ回路網へ転送する。相応して、短メッセージサービスセンターＳＭＳＣは、制御または信号チャネルを通して移動体終端短メッセージを送信する。
【０００４】
短メッセージ機能は、移動加入者に提供されるサービスに利用されている。短メッセージサービスの１つは、フィンランドの気象局によって維持されている海上天気予報サービスである。移動加入者は、海上天気予報の電話番号を呼出し、そして天候情報を知りたい地域を指定する。加入者がサービス番号への接続を中断すると、暫くしてから要求した天候情報が短メッセージとして受信され、移動局のディスプレイ上に表示される。天候情報はある地域に恒久的に関連付けられているので、海上天気予報サービスにおいては、フィンランドの海域が11の領域に分割され、加入者は関連領域の電話番号をダイヤルすることによってこれらの領域の中から所望の領域を選択することができる。上述したサービス地域の選択に伴う問題は、選択リストが長過ぎないように、これらの地域がかなり大きくされており、そのために選択された大きい地域全体をカバーするにはサービス通報が一般的にならざるを得ないことである。交通渋滞の短メッセージサービス情報におけるような若干のサービスでは、サービス通報を有用ならしめるために、サービスを加入者から要求されたかなり小さい地域に正確に集中させることが要求される。更に、上述した従来技術の短メッセージサービスに伴う問題は、地域の選択代替を実時間で加入者に知らせることができるようにするために、加入者が通常のトラフィックチャネルの移動スピーチ接続をセットアップしなければサービスを要求することができないことである。
【０００５】
図１は、汎欧州ＧＳＭ移動通信システムの簡易ブロック線図である。移動局ＭＳは、図１の基地局ＢＴＳ１のような基地トランシーバ局ＢＴＳの１つに無線経路を介して接続される。基地局システムＢＳＳは、基地局コントローラＢＳＣ及びＢＳＣによって制御される基地局ＢＴＳからなっている。通常は、幾つかの基地局コントローラＢＳＣが、移動サービススイッチングセンターＭＳＣによって制御される。移動サービススイッチングセンターＭＳＣは、他の移動サービススイッチングセンターに接続されている。ＧＳＭは、ゲートウェイ移動サービススイッチングセンター（ＧＭＳＣ）を介して、公衆交換電話回線網ＰＳＴＮのような他の回路網、公衆陸上移動回路網ＰＳＭＮ、統合サービスデータ回路網ＩＳＤＮ、または短メッセージサービスセンターＳＭＳＣのようなサービスセンターＳＣに接続される。動作・保守センターＯＭＣは、システム全体の動作を監視している。移動局ＭＳの加入者データは、ホーム位置レジスタＨＬＲ内に恒久的に格納され、その時点に移動局ＭＳが位置している領域内のビジター位置レジスタＶＬＲ内に一時的に格納される。移動局ＭＳの位置情報は、位置領域ＬＡの精度でビジター位置レジスタＶＬＲ内に格納される。ビジター位置レジスタによって監視される地域は、１つまたはそれ以上の位置領域ＬＡに分割される。１つまたはそれ以上の基地局ＢＴＳは、各位置領域において動作することができる。
【０００６】
基地局ＢＴＳは、例えば基地局識別コードＢＳＩＣのようなそれらに関する、及びそれらの環境に関する情報、隣接セル情報、及び位置領域識別子ＬＡＩをページングチャネル上で絶えず放送している。例えば基地局コントローラＢＳＣに位置しているセル放送センターは、基地局ＢＴＳのセル放送チャネルのメッセージを管理する。セル放送センターは、オペレータから与えられた初期情報に基づく個々の基地局ＢＴＳ毎に割当てられた放送メッセージを、基地局コントローラＢＳＣを介して送信する。例えばページングチャネル及びセル放送チャネル上での放送は、アドレスを有してもいないし、暗号化もされていないが、基地局の送信によってカバーされる地域内の全ての移動局ＭＳによって受信されることを意図している。セル放送のより詳細な説明に関してはGSM recommendation GSM 03.4“European digitl cellular telecommunication system（Phase2）；Technical realization of Short Message Service Cell Broadcast（SMSCB）”を参照されたい。
【０００７】
図２は、従来技術による短メッセージサービスセンターＳＭＳＣから移動局への短メッセージの転送を示す信号図である。ＳＭＳＣは、要求されると、通過回路網を介してＧＳＭのＧＭＳＣへ短メッセージを送る（メッセージ１）。
ＧＭＳＣは、Ｂ加入者のホーム位置レジスタＨＬＲにその移動局の位置を問い合わせる（メッセージ２）。メッセージ３において、ＨＬＲは、Ｂ加入者の移動局が位置している領域のビジター位置レジスタＶＬＲを指示する情報をＧＭＳＣへ戻す。ＧＭＳＣは、ＶＬＲのアドレスに従って短メッセージをＭＳＣへ更に送る（メッセージ４）。短メッセージを受信すると、ＭＳＣはメッセージ５によってその短メッセージに関する経路指定情報をＶＬＲに問い合わせる。ＶＬＲは、Ｂ加入者の移動局の格納された位置情報によって指示された位置領域ＬＡに関する経路命令をＭＳＣに送ることによって問い合わせに応答する（メッセージ６）。
ＭＳＣは、基地局コントローラＢＳＣ及び及び基地局ＢＴＳを介して、Ｂ加入者の移動局ＭＳへ短メッセージを送る（メッセージ７）。短メッセージは、ＳＭＳＣから移動局ＭＳまで移動回路網を通って透明に走行する。
【０００８】
図３は、反対方向、即ち移動局ＭＳから短メッセージサービスセンターＳＭＳＣへの従来技術の短メッセージの転送の信号図である。メッセージ３１においては、移動局ＭＳは基地局ＢＴＳへ接続要求を送り、応答を受信した後に基地局ＢＴＳ及び基地局コントローラＢＳＣを介して、短メッセージをＭＳＣへ送る（メッセージ３２）。メッセージ３３においては、ＭＳＣは短メッセージをゲートウェイＭＳＣへ送り、ゲートウェイＭＳＣはその短メッセージを、要求された時に転送回路網を介してＳＭＳＣへ転送する（メッセージ３４）。ＳＭＳＣから、短メッセージはアドレスされた受信機へ発送される。
【発明の開示】
【発明が解決しようとする課題】
【０００９】
本発明の目的は、地域に依存するアプリケーションのためのパラメータとして使用するために、移動通信システムにおいて普遍的に理解し易い位置情報を提供することである。
アプリケーションに位置情報を提供するこの新しい方法は、基地局のセル放送チャネル上の放送信号を移動局が受信するステップを備えた方法によって達成される。本方法は、地理的位置を識別する位置情報を基地局のセル放送チャネル上で放送するステップと、地理的位置に依存するアプリケーションがこの位置情報を利用するステップとを特徴としている。
【課題を解決するための手段】
【００１０】
本発明は、基地局が一般情報をセル放送チャネル上で放送するようになっており、移動局が基地局のセル放送チャネルを受信するようになっている移動通信システムにも関している。本システムは、移動通信システムが地理的位置を識別する位置情報を基地局のセル放送チャネル上で放送するようになっており、地理的位置に依存するアプリケーションがこの位置情報を利用するようになっていることを特徴としている。
本発明は基地局にも関し、この基地局は基地局のカバレッジエリア内の移動局に一般情報を放送するための少なくとも１つのセル放送チャネルを備えている。
基地局は、基地局が地理的位置を識別する位置情報を、セル放送チャネル上で放送するようになっていることを特徴とする。
本発明は、基地局が位置情報をそれらのセル放送チャネル上で絶えず放送し、この位置情報が移動局によって受信され、地理的位置に依存するアプリケーションにおいて利用されるアイディアを基礎としている。
【００１１】
本発明の基地局は、基地局サイトの座標及び場所名のような位置情報を、セル放送チャネル上で放送する。本発明の移動局は放送を受信し、この放送から位置情報を抜取る。次いで、地理的位置に依存するアプリケーションにおいてパラメータとしてこの位置情報を使用する。本発明の好ましい実施例においては、移動加入者が、例えば公衆交換電話回線網のサービスユニットからのサービス通報のような地域に依存するサービスを要求したい場合、移動加入者は、例えば短メッセージの形状でサービス要求を作成し、抜取った位置情報をこのサービス要求に添付する。移動局は、サービス要求を移動回路網を介してサービスユニットへ送り（例えば、短メッセージを短メッセージサービスセンターへ送り）、短メッセージサービスセンターは、この短メッセージを要求されたサービスプロバイダへ転送する。サービスを提供するユニットは、サービス要求内に含まれている位置情報に基づいて、加入者によって要求されたサービス通報のようなサービスを選択し、このサービス通報を移動回路網に接続されている移動加入者へ送る（例えば、短メッセージを短メッセージサービスセンターを介して送る）。
【００１２】
本移動通信システムの長所は、処理される位置情報が、既に普遍的に理解し易いフォーマットになっていることである。
本発明の移動システムのさらなる長所は、移動加入者が、サービスを発注する時に彼／彼女が位置している地域を決定する必要がないことである。
本発明の移動通信システムの更に別の長所は、要求の発送が２方向の送信を必要としないために、サービス要求を例えば短メッセージの形状で送ることができることである。
更に、移動通信システムは、地理的位置に依存して、サービス通報のようなサービスを、従来技術のシステムに比して、容易且つ迅速に要求できる長所を提供する。
本発明の方法の長所は、サービス通報が小さい地域だけをカバーできるようにしたことである。
【発明を実施するための最良の形態】
【００１３】
以下に、添付図面に基づいて本発明を好ましい実施例に関連して詳細に説明する。
本発明は、如何なる移動通信システムにも関連付けて適用することができる。
【００１４】
以下に、本発明を汎欧州ＧＳＭ移動通信システムに関連して詳細に説明する。図１は、上述したＧＳＭ移動通信システムの構造を簡易化して示す。図１に示してあるサービスセンターＳＣは、汎用短メッセージサービスセンターであることができる。ＧＳＭシステムのより詳細な説明については、The GSM System for Mobile Communications，M．Mouly & M．Pautet，Palaiseau，France，ISBN：2-9507190-0-7を参照されたい。
このアプリケーションにおいては、「平文位置情報」という概念は、例えば分離した翻訳キーまたはデコーディングテーブルを必要としない、普遍的に理解し易い位置情報のことである。この平文位置情報の理解及び利用は、移動通信システムに制限されるものではなく、どのような外部システムまたはデバイスが普遍的に利用しても差し支えない。以下に、図４を参照して本発明をその好ましい実施例に関連して詳述する。本発明の好ましい実施例では、移動局ＭＳからのサービス要求は、短メッセージの形状で送信される。図４は、２つの基地局ＢＴＳ１及びＢＴＳ２のカバレッジエリアを横切る移動局ＭＳの走行の例を示している。基地局ＢＴＳ１及びＢＴＳ２は、全ての移動局ＭＳによって受信されることを意図する情報を、それらのセル放送チャネル上で放送する。基地局ＢＴＳ１は、セル放送センターから入手した平文位置情報を（本例では、基地局ＢＴＳ１の位置の地理的座標61,345.25,110を例えば緯度・経度フォーマットで）放送する。
基地局ＢＴＳから放送される位置情報は、オペレータによって限定された位置情報を放送するように基地局に命令するセル放送センターによって制御される。
【００１５】
セル放送センターとオペレータの回路網プランニングシステムとを接続し、要求された情報を回路網プランニングシステムから入手して各基地局ＢＴＳ毎に本発明の位置情報を供給することもできる。セル放送センターは、基地局が放送するために使用する位置情報を維持する。本発明における位置情報は各セル毎に特定のものであり、この場合、本発明の機能性を実現する各基地局ＢＴＳは特定の基地に割当てられた位置情報を放送する。位置情報は各基地局毎に異なることもでき、その場合には各基地局はそれ自体の特定位置情報を放送するように指令される。各基地局毎に個別のこの位置情報は、基地局位置（即ち、61,345.25,110のように位置が緯度・経度フォーマットで与えられるセルの地理的センターの座標情報、または同様に適当なフォーマットで与えられる他のある座標系のような座標表現）、または基地局名（例えば、etela-satama.helsinki.uusimaa.finlandのように、位置名が正確な位置情報・町・国フォーマットで与えられる）であることができる。個々の基地局に特定の位置情報は、上述した例の適当な組合わせとして形成することもできる。本発明による位置情報は、特定の領域に位置する基地局が同一の位置情報を有することも可能である。この場合、その指定された位置情報領域に位置する全ての基地局は、この同一の位置情報をそれらのセル放送チャネル上で放送する。その領域をカバーする位置情報は、例えば、適当な座標系で、且つ適当なフォーマットで表されたその領域の地理的センターの座標、または基地局位置の名前に関連して説明したようなフォーマットで表されたその領域の地理的センターの地理的名前、helsinki.finlandのようなその領域の名前（この場合、その領域の名前は町・国フォーマットで与えられる）であることができる。領域の位置情報は、例えばこれらのある適当な組合わせであることもできる。
【００１６】
移動局ＭＳが図４に示す基地局ＢＴＳ１の領域Ｃ１内を移動すると、移動局ＭＳは基地局ＢＴＳ１のセル放送チャネル上の信号を受信して復調する。本発明によれば、移動局ＭＳはこのメッセージから位置情報（この例の場合には、61,345.25,110）を抜取り、それをこの目的のために配列されたメモリ位置に自動的に格納する。
更に、移動加入者が基地局ＢＴＳ１のカバレッジエリア内にある場合、移動加入者が、ローカル交通通報のようなあるサービス通報を発注するように決定するものとする。移動加入者は、その地域に依存するサービス要求を行うための短メッセージの形成を開始する。サービス要求の本体は、従来技術におけるように、移動局ＭＳ内で形成される。本発明によれば、移動局ＭＳは位置情報メモリ位置から最後に格納された位置情報61,345.25,110（これは、基地局のセル情報チャネル上と実質的に同一のフォーマットである）を検索する。位置情報61,345.25,110は、位置情報の表現を変えずに、サービス要求本体への短メッセージ内に添付される。移動局ＭＳは、このようにして短メッセージとして作成されたサービス要求を基地局ＢＴＳ１へ送り、基地局ＢＴＳ１は更にこの短メッセージを、移動回路網を介して（多分、通過回路網及び短メッセージサービスセンターＳＭＳＣを介して）、受信者の電話番号によって識別されるサービスプロバイダへ送信する。
【００１７】
サービスを提供するユニットは、サービス要求短メッセージを受信し、加入者によって要求されたサービス通報を、サービス要求内に含まれる位置情報に基づいて選択する。サービス要求内に含まれる位置情報が平文であるので、サービスユニットは位置情報を理解し利用するために分離したコードキーまたは変換テーブル等は必要としない。サービスユニットは、選択されたサービス通報を、例えば短メッセージ、データ伝送、または何れか適当な形状で移動回路網内の加入者へ送る。本発明にとって、サービス通報を最終的にどの形状で移動加入者へ発送するのかは問題ではない。短メッセージとして位置61,345.25,110をカバーする交通通報は、図２について説明したような手法で移動加入者へ送信される。
【００１８】
移動局ＭＳが図４に示す基地局ＢＴＳ２の領域Ｃ２へ移動するのと同時に、移動局ＭＳは基地局ＢＴＳ２のセル放送チャネルを受信し始める。ＢＴＳ１について説明したのと同様に、セル放送センターによって指示された位置情報が基地局ＢＴＳ２のセル放送チャネル上で放送されている。この例の場合、基地局ＢＴＳ２の位置情報は、61,345.25,230である。移動局ＭＳはこの放送を受信し、メッセージから位置情報61,345.25,230を抜取り、この情報をこの目的のために保留されたメモリ位置に、先行位置情報61,345.25,110の代わりに格納する。
移動加入者が基地局ＢＴＳ２のカバレッジエリア内にある時に、移動加入者はその地域に依存するサービス通報（例えば、今回はローカル天気予報）を再度発注するように決定したものとする。短メッセージとしてのサービス要求が、基地局ＢＴＳ１の領域内で作られるサービス要求に関して説明したようにして作られる。位置情報メモリ位置に関する情報61,345.25,230は、表現を変えずにサービス要求に添えられる。サービス要求は、上述したようにサービスプロバイダへ送信される。サービスユニットは、加入者によって要求されたサービス通報を、サービス要求に添えられた位置情報に基づいて選択し、位置61,345.25,230をカバーする天気予報を上述したようにして移動加入者へ発送する。以上の説明から明らかなように、移動局ＭＳは、一時に基地局の１つのセル放送チャネルだけを受信するので、２つまたはそれ以上の基地局ＢＴＳのカバレッジエリアが重なった場所に移動局ＭＳが位置していても、移動局が位置している領域の位置情報、従って本発明の活動が曖昧になることはない。
【００１９】
図５は、本発明の方法の好ましい実施例の流れ図である。ステップ５１においては、ＢＴＳ１のような基地局は、位置情報を前述したそのセル放送チャネルで放送する。ステップ５２においては、移動局ＭＳは、受信した放送からこの位置情報を抜取る。移動局ＭＳ、または多分移動局ＭＳに接続されているコンピュータは、この位置情報を、特にこの目的のために保留したメモリ位置に格納する（ステップ５３）。加入者が、その時点に加入者が位置している領域から地域に依存するサービス通報を入手することを望む場合には、加入者は移動局ＭＳ内で短メッセージを形成し始める（ステップ５４）。ステップ５５においては、メモリ位置から検索された位置情報はその表現を実質的に変化させることなく、この短メモリに添付される。ステップ５６においては、移動局ＭＳはこのようにして作成された短メッセージを基地局ＢＴＳへ送る。この短メッセージは更に、図３に示すように、該基地局ＢＴＳから基地局コントローラＢＳＣ、移動サービススイッチングセンターＭＳＣ、及びゲートウェイＭＳＣを介して、短メッセージサービスセンターＳＭＳＣへ送られる。但し、従来技術の短メッセージの送信とは異なり、本発明のこの位置情報は、短メッセージを含むサービス要求に添付されるようになっている。この短メッセージは、短メッセージサービスセンターＳＭＳＣから更に、サービスを提供するユニットへ転送される。図５のステップ５７においては、サービスを提供するユニットは、サービス要求内に添付された位置情報に基づき、その地域に依存するサービス通報を選択する。ステップ５８においては、サービスを提供するユニットは、要求されたサービス通報を、そのサービスを発注した移動局ＭＳへ送る。サービス通報は、アドレスを有する短メッセージとして、またはデータ伝送として移動局ＭＳへ発送することもできる。サービス通報内に含まれる短メッセージの送信は、図２に関連して説明済みの従来技術の短メッセージの送信に対応する。
【００２０】
本発明の別の実施例においては、基地局は本発明の位置情報をそれらのセル放送チャネルで放送し、移動局はこの送信を受信し、好ましい実施例に関連して上述したように送信から位置情報を抜取る。第２の実施例では、移動局ＭＳが位置情報を格納するために、幾つかのメモリ位置が保留されている。若干のメモリ位置は自動格納のために保留され、若干のメモリ位置は移動加入者の命令があった時に格納するために保留される。位置情報の格納は、もしその位置情報が最後に格納された位置情報と異なっていれば、可能な場合には、自動格納が自由メモリ位置に対して遂行されるようにすることができる。もし自動格納のために保留されたどのメモリ位置も自由でなければ、新しい位置情報は、代わりに最も古く格納された位置情報のメモリ位置に格納される。このようにすると、移動局ＭＳのメモリ内には常に少なくとも１つの位置情報が存在し、殆どの場合には移動局ＭＳが基地局の放送チャネルから最後に受信した位置情報のリストが存在するようになる。移動加入者の命令によって遂行される位置情報の格納は、後刻の使用に備えて加入者がその位置領域の位置情報を恒久メモリ位置に格納することを望む場合に、例えば移動局のキーボードから移動加入者によって開始される。移動加入者の制御の下に遂行される格納によって加入者は、発注の時点には加入者はその位置に所在してはいないが、後刻加入者がそこからサービス通報を発注することを望む位置に関する位置情報を、位置情報メモリ位置内に恒久的に格納することができる。
【００２１】
加入者がある地域に依存するローカルニュースのようなサービス通報を発注することを望む場合、加入者はサービス要求を作るための短メッセージを形成し始める。最後の自動格納に関連して格納された位置情報が、サービス要求の本体に添付される。この段階において、移動加入者は位置情報を、例えば、他のある位置情報に変えたり、先に格納された位置情報または加入者が格納するように指令したある位置情報の１つに変えることができる。位置情報の選択は、加入者が移動局ディスプレイ上に先に格納した位置情報を走査し、それらから要求したものを選択して第１に示唆された位置情報の代わりにサービス要求の本体に添付することができる。移動局ＭＳは、このようにして作成したサービス要求を、好ましい実施例に関して説明したようにして送る。移動局へのサービス通報の選択及び発送も、前述したようにして遂行される。
【００２２】
本発明の第３の実施例においては、基地局ＢＴＳは、好ましい実施例及び第２の実施例に関して説明したように、本発明による位置情報を、それらのセル放送チャネルを通して放送する。移動加入者がその地域に依存するサービスを発注することを望む場合には、移動加入者はサービス要求を形成し始める。移動局ＭＳは基地局ＢＴＳのセル放送チャネルの信号を受信し、それを復調する。移動局はメッセージから本発明の位置情報を抜取り、それを、位置情報の表現を変えることなく、及び位置情報を一時的に格納することなく、作成したサービス要求に添付する。移動局ＭＳは、好ましい実施例及び第２の実施例に関して説明したように、サービス要求を例えば短メッセージとして、そのサービスを提供するユニットへ送る。サービスを提供するユニットは、位置情報に基づいて適当なサービスを選択し、それをこの目的に適する手法で移動局ＭＳへ発送する。
【００２３】
本発明の第４の実施例においては、移動局ＭＳは、データ伝送としてサービス要求を送る。この実施例は、本発明の位置情報を有するサービス要求がデータ伝送に必要な形状で作成されることだけが、上述した好ましい実施例及び第２の実施例とは異なっている。基地局へのサービス要求の送信は、従来技術の移動局から基地局へのデータ伝送と同じように遂行される。データ伝送の始めに、移動局ＭＳは基地局に、そのデータ伝送のためのトラフィックチャネルを要求する。基地局ＢＴＳは、その移動局ＭＳがサービス要求を送る自由なトラフィックチャネルをその移動局に割当てる。データ伝送として作成されたサービス要求は、サービスを提供するユニットへ送信され、該ユニットはサービス要求に含まれる位置情報に基づいてその移動局が要求したサービス通報を選択する。選択されたサービス通報は、例えば設けられたデータ接続、またはそのデータ接続の終わりの短メッセージによるデータ伝送として移動局ＭＳへ発送することができる。
【００２４】
種々の実施例に関連して上述した、サービスを提供するユニットにおける、添付された位置情報に基づくサービス通報の選択は、各サービス毎に最適な手法で行うことができる。例えば、マイクロセル環境においては、たとえ各基地局がその特定の個々の位置情報を有しているとしても、各セル領域毎に特定の天気予報を行うことは賢明ではない。そこで、移動局へ発送されるローカル天気予報は、位置情報によって通知された位置が天気予報によってカバーされる領域内に含まれるように選択される。しかしながら、例えば交通通報は、かなり小さい領域によってカバーされるようにすることが好ましい。高速で移動する移動加入者は、位置情報によって指示された領域をサービス通報の発送前に既に去っているかも知れないので、例えばサービス要求の位置情報領域と、この領域を取り巻く交通情報領域についての小領域の交通情報を発送することができる。本発明の基地局は、従来技術の基地局構造を大きく変化させることを必要としない。本発明の基地局は、セル放送センターによって指示された位置情報をそのセル放送チャネル上で放送するようになっている。基地局は、セル放送センターが新しい位置情報が放送されることを通知するか、または基地局にその位置情報の放送を停止するように指令するまで指示された位置情報を放送する。
【００２５】
本発明の移動局は、基地局が放送した放送、短メッセージ、またはデータ伝送を受信することができ、また短メッセージまたはデータ伝送を送ることが可能な従来技術の移動局に小さい変化を施すだけで実現することができる。移動局による短メッセージまたはデータ伝送の処理も、従来技術の移動局に接続されたコンピュータ、またはコンピュータ及びミニコンピュータの組合わせであるコミュニケータ、いわゆる知的電話機によって達成することができる。この場合、移動局ＭＳは基地局ＢＴＳの放送を受信し、受信した無線信号を復調する。移動局ＭＳに接続されたコンピュータはメッセージから位置情報を抜取り、必要な時にはそれを格納し、そして、それによって作成されるサービス要求にその位置情報を添付する。移動局ＭＳはこのようにして作成されたサービス要求を、基地局ＢＴＳを介して要求した受信者へ送る。
【００２６】
添付図面及びそれらに関連する説明は、単に本発明のアイディアを示したに過ぎない。本発明の方法及び移動通信システムの細部は、請求の範囲内で変化させることができる。以上に、本発明を主としてＧＳＭシステムに関連して説明したが、ＣＤＭＡシステムのような他の移動通信システムに使用することも可能である。
【図面の簡単な説明】
【００２７】
【図１】移動通信システムのブロック線図である。
【図２】短メッセージサービスセンターから移動局へ短メッセージを転送する場合の信号図である。
【図３】移動局から短メッセージサービスセンターへ短メッセージを転送する場合の信号図である。
【図４】移動局がセルラ回路網領域内へ移動した時のサービス通報要求の場合を示す図である。
【図５】本発明による方法の好ましい実施例の流れ図である。
【図１】
2008312234.tif 000003
【図２】
2008312234.tif 000004
【図３】
2008312234.tif 000005
【図４】
2008312234.tif 000006
【図５】
2008312234.tif 000007
【手続補正書】
【提出日】平成20年8月15日(2008.8.15)
【手続補正１】
【補正対象書類名】特許請求の範囲
【補正対象項目名】全文
【補正方法】変更
【補正の内容】
【特許請求の範囲】
【請求項１】
移動通信システムに関連するアプリケーションに対して位置情報を供給する方法であって、
基地局のセル放送チャネル上の放送信号を移動局において受信し、該放送信号は前記基地局の特定の地理的位置を識別する位置情報を含み、
サービス要求をサービスユニットへ送信し、該サービス要求は、前記位置情報に基づいて決定される前記移動局の地理的位置を含み、
サービスを前記移動局において受信し、該サービスは送信されたサービス要求に応答して受信される
ことを含むことを特徴とする方法。
【請求項２】
前記移動局の地理的位置は、前記基地局の特定の地理的位置であることを特徴とする請求項１に記載の方法。
【請求項３】
前記受信されるサービスは、サービス通報であることを特徴とする請求項１に記載の方法。
【請求項４】
前記位置情報を、前記受信された放送信号から分離することをさらに含むことを特徴とする請求項１に記載の方法。
【請求項５】
前記移動局の地理的位置は、テキストフォーマットの前記サービス要求に含まれることを特徴とする請求項１に記載の方法。
【請求項６】
前記位置情報を、前記移動局において格納することをさらに含むことを特徴とする請求項１に記載の方法。
【請求項７】
前記サービス要求を、短メッセージとして前記移動局から送信することを特徴とする請求項１に記載の方法。
【請求項８】
前記サービス要求を、データ転送として前記移動局から送信することを特徴とする請求項１に記載の方法。
【請求項９】
移動局であって、
基地局のセル放送チャネル上の放送信号を移動局において受信する手段であって、該放送信号は前記基地局の特定の地理的位置を識別する位置情報を含む、前記手段と、
サービス要求をサービスユニットへ送信する手段であって、該サービス要求は、前記位置情報に基づいて決定される前記移動局の地理的位置を含む、前記手段と、
サービスを前記移動局において受信する手段であって、該サービスは送信されたサービス要求に応答して受信される、前記手段と
を備えていることを特徴とする移動局。
【請求項１０】
前記移動局の地理的位置は、テキストフォーマットの前記サービス要求に含まれることを特徴とする請求項９に記載の移動局。
【請求項１１】
前記位置情報を格納するメモリ位置をさらに含むことを特徴とする請求項９に記載の移動局。
【請求項１２】
移動加入者からの命令の受信に基づいて前記位置情報を恒久的に格納するメモリ位置をさらに含むことを特徴とする請求項９に記載の移動局。
【請求項１３】
前記サービス要求を、短メッセージとして前記移動局から送信することを特徴とする請求項９に記載の移動局。
【請求項１４】
前記サービス要求を、データ転送として前記移動局から送信することを特徴とする請求項９に記載の移動局。
【請求項１５】
移動通信システムであって、
一般情報をセル放送チャネル上で放送するようになっている基地局であって、該一般情報は前記基地局の地理的位置を識別する位置情報を含む、前記基地局と、
前記基地局が前記セル放送チャネル上で放送する一般情報を受信して、サービス要求をサービスユニットへ送信し、サービスを移動局において受信するようになっている移動局であって、該サービス要求は、前記位置情報に基づいて決定される前記移動局の地理的位置を含み、該サービスは送信されたサービス要求に応答して受信される、前記移動局と
を備えていることを特徴とする移動通信システム。
【請求項１６】
前記サービス要求を、短メッセージとして前記移動局から送信することを特徴とする請求項１５に記載の移動通信システム。
【請求項１７】
前記サービス要求を、データ転送として前記移動局から送信することを特徴とする請求項１５に記載の移動通信システム。
【請求項１８】
前記移動局の地理的位置は、テキストフォーマットの前記サービス要求に含まれることを特徴とする請求項１５に記載の移動通信システム。